(57)【特許請求の範囲】
【請求項１】
呼制御情報チャネルと音声通話用チャネルとを有する一つのＩＰトランクと、音声通話用チャネルのみを有する複数のＩＰトランクとを有し、前記ＩＰトランクを介して、収容している電話機をＩＰ網へ接続させる構内交換機であって、
前記電話機より前記ＩＰ網への発信を受け付ける発信処理手段と、
前記発信処理手段が、当該発信を受け付けた場合に、前記ＩＰトランクのうちより空いている音声通話用チャネルを検索する空きチャネル検索手段と、
前記空きチャネル検索手段により空いている音声通話用チャネルが検索された場合に、当該音声通話用チャネルを有するＩＰトランクを予約する空きチャネル捕捉手段と、
前記発信処理手段が受け付けた発信に伴う番号に対応したＩＰアドレス宛に、呼制御用チャネルを有するＩＰトランクのＩＰアドレスと、前記空きチャネル捕捉手段が捕捉した音声通話用チャネルを有するＩＰトランクのＩＰアドレスとを含む情報を共通線信号方式（ＳＳ７）の呼制御情報として、前記呼制御情報チャネルを有するＩＰトランクより前記ＩＰ網に送出させる制御部と、
を有することを特徴とする構内交換機。
【請求項２】
呼制御情報チャネルと音声通話用チャネルとを有する一つのＩＰトランクと、音声通話用チャネルのみを有する複数のＩＰトランクとを有し、前記ＩＰトランクを介して、ＩＰ網経由で構内交換機相互間がＩＰパケットの通信を行なう通話確立方法であって、
前記ＩＰ網への発信を受け付けるステップと、
前記ステップにおいて、当該発信を受け付けた場合に、前記ＩＰトランクのうちより空いている音声通話用チャネルを検索するステップと、
空いている音声通話用チャネルが検索された場合に、当該音声通話用チャネルを有するＩＰトランクを予約し、他の発信により使用できないようにするステップと、
前記発信に伴う番号に対応したＩＰアドレス宛に、呼制御用チャネルを有するＩＰトランクのＩＰアドレスと、前記空きチャネル捕捉手段が捕捉した音声通話用チャネルを有するＩＰトランクのＩＰアドレスとを含む情報を共通線信号方式（ＳＳ７）の呼制御情報として、前記呼制御情報チャネルを有するＩＰトランクより前記ＩＰ網に送出させるステップと、
相手交換機よりの応答により前記捕捉したチャネルを有するＩＰトランクを確定し、通話のネゴシエーションを確立させ音声パケットで相互通信するステップと、
を備えたことを特徴とする通話確立方法。
【発明の詳細な説明】
【０００１】
【発明の属する技術分野】
本発明はＩＰ網上に音声パケットを載せて通話を実現するＶｏＩＰ（Voice Over Internet Protocol）呼制御方式の構内交換機及び通話確立方法に係り、特にＳＳ７（Signaling System No.7）の呼制御情報を適用した構内交換機及び通話確立方法に関する。
【０００２】
【従来の技術】
従来、ＩＰ（インターネット）網を利用して通話を実現するＩＰ電話システムは知られている。
【０００３】
また、従来、構内交換機相互間を専用線で接続し、共通線制御方式（ＳＳ７）を適用してキャンプオン等の高度な構内交換機間サービスを提供しているものが知られている。
【０００４】
なお、キャンプオンとは、例えば、自構内交換機に接続された通話端末から他構内交換機の相手通話端末にダイヤル発信し、相手通話端末が話中の場合に、自通話端末（または、自構内交換機）および相手通話端末（または、他の構内交換機）を監視し、相手通信端末が接続可能な状態になった時に、自通話端末にその旨を通知するようなサービスである。
【０００５】
図８に従来の専用線で接続された構内交換システムの一ブロック構成図を示す。なお、構内交換システムは、構内交換機に共通線信号方式ＳＳ７（Signaling System No.7）を適用したものである。図８において、構内交換システム５０は、構内交換機５１と、構内交換機５２ａ〜構内交換機５２ｎとが専用回線５３で接続された構成をなす。
【０００６】
構内交換機５１は、音声情報を送受信する専用線トランク（ＰＶＴ）５１ａ1〜５１ａk，…，５１ｎ1〜５１ｎKと、共通線信号方式ＳＳ７で使用される呼制御情報を送受信する共通線信号トランク（ＣＳＵ）５１ｃ1〜５１ｃnを備える。
【０００７】
一方、構内交換機５２ａは、音声情報を送受信する専用線トランク（ＰＶＴ）５２ａ1〜５２ａKと、呼制御情報を送受信する共通線信号トランク（ＣＳＵ）５２ｃ1、…、構内交換機５２ｎは、音声情報を送受信する専用線トランク（ＰＶＴ）５２ｎ1〜５２ｎKと、呼制御情報を送受信する共通線信号トランク（ＣＳＵ）５２ｃnを備える。
【０００８】
構内交換機５１と、対向する構内交換機５２ａ〜構内交換機５２ｎとの間は、専用回線５３を介して専用線トランク（ＰＶＴ）および共通線信号トランク（ＣＳＵ）が、それぞれ物理的に１対１に接続され、専用回線５３を介した専用線トランク（ＰＶＴ）相互間で音声通信がなされ、専用回線５３を介した共通線信号トランク（ＣＳＵ）相互間で構内交換機毎の呼制御情報の授受がなされる。
【０００９】
つまり、この接続構成は、コネクション型であり、構内交換機５１は、接続に必要な相手構内交換機５２ａ〜５２ｎと物理的な専用回線５３でおのおの接続される。
【００１０】
構内交換機５１は、例えば構内交換機５２ａとの間を接続する場合、空きの専用線トランク（例えば、専用線トランク（ＰＶＴ）５１ａ1）を捕捉し、共通線信号トランク（ＣＳＵ）５１ｃ1から呼接続の起動信号を専用回線５３を介して構内交換機５２ａの共通線信号トランク（ＣＳＵ）５２ｃ1に送出する。
【００１１】
起動信号を受信した構内交換機５２ａは、構内交換機５１の専用線トランク（ＰＶＴ）５１ａ1と対をなす専用線トランク（ＰＶＴ）５２ａ1を捕捉し、共通線信号トランク（ＣＳＵ）５２ｃ1から起動完了信号を専用回線５３を介して構内交換機５１の共通線信号トランク（ＣＳＵ）５１ｃ1に送出する。
【００１２】
このように、共通線信号トランク（ＣＳＵ）５１ｃ1と共通線信号トランク（ＣＳＵ）５２ｃ1間で、呼接続のための制御信号（起動信号および起動完了信号）の送受信を実行することにより、専用回線５３を介して構内交換機５１と構内交換機５２ａの通話が成立する。
【００１３】
また、従来の構内交換システムは、構内交換機に共通線信号方式ＳＳ７（Signaling System No.7）を適用してキャンプオン等の高度な構内交換機間サービスが提供される。
【００１４】
【発明が解決しようとする課題】
従来のＩＰ（インターネット）網を利用して通話を実現するＩＰ電話システムは、ＩＰ（インターネット）網に電話端末を接続できるが、構内交換機を接続して内線通話端末から通話できるものがなく、ユーザからＩＰ（インターネット）網への構内交換機の接続が要望されている。
【００１５】
また、従来の構内交換システムは、専用線トランク（ＰＶＴ）ならびに共通線信号トランク（ＣＳＵ）同士を専用回線で物理的に１対１で接続し、構内交換機相互間でキャンプオン等の高度なサービスを提供しているが、接続する構内交換機の数に対応して共通線信号トランク（ＣＳＵ）が増加するとともに、共通線信号トランク（ＣＳＵ）間を接続する専用回線も増加して設備の増大を招く課題がある。
【００１６】
この発明はこのような課題を解決するためになされたもので、その目的は共通線信号方式ＳＳ７（Signaling System No.7）の呼制御情報を適用してＩＰ網上にＩＰパケットを伝送させ、構内交換機間でキャンプオン等の高度なサービスが利用できる利便性の高い構内交換機及び通話確立方法を提供することにある。
【００１７】
【課題を解決するための手段】
前記課題を解決するためこの発明に係る構内交換機は、呼制御情報チャネルと音声通話用チャネルとを有する一つのＩＰトランクと、音声通話用チャネルのみを有する複数のＩＰトランクとを有し、前記ＩＰトランクを介して、収容している電話機をＩＰ網へ接続させる構内交換機であって、前記電話機より前記ＩＰ網への発信を受け付ける発信処理手段と、前記発信処理手段が、当該発信を受け付けた場合に、前記ＩＰトランクのうちより空いている音声通話用チャネルを検索する空きチャネル検索手段と、前記空きチャネル検索手段により空いている音声通話用チャネルが検索された場合に、当該音声通話用チャネルを有するＩＰトランクを予約する空きチャネル捕捉手段と、前記発信処理手段が受け付けた発信に伴う番号に対応したＩＰアドレス宛に、呼制御用チャネルを有するＩＰトランクのＩＰアドレスと、前記空きチャネル捕捉手段が捕捉した音声通話用チャネルを有するＩＰトランクのＩＰアドレスとを含む情報を共通線信号方式（ＳＳ７）の呼制御情報として、前記呼制御情報チャネルを有するＩＰトランクより前記ＩＰ網に送出させる制御部とを有することを特徴とする。
【００１８】
この発明に係る構内交換機は、ＩＰトランクを有する構内交換機と、構内交換機が接続される構内ＬＡＮと、構内ＬＡＮとＩＰ網に接続されるルータ装置とを備え、構内交換機相互間の音声通信は、音声情報を変換した音声パケットと、呼制御情報を変換した呼制御パケットとから形成されるＩＰパケットをＩＰ網を介して伝送するとともに、呼制御情報に共通線信号（ＳＳ７）方式の呼制御情報を用いて１チャネルで伝送するので、構内交換機相互間の通話をＩＰ網上で容易に実現でき、キャンプオン等の高度なサービスを提供することによって利便性の向上を図ることができる。
【００２１】
この発明に係る構内交換機は、音声情報と音声パケットを相互変換する音声制御手段と、呼制御情報と呼制御パケットを相互変化する呼制御手段とを備えたので、音声パケットと呼制御パケットをＩＰパケットとしてＩＰ網上に載せることができ、容易に情報とパケットの変換が実現できる。
【００２３】
この発明に係るＩＰトランクは、呼制御パケットに音声通話用のＩＰアドレスおよび呼制御情報用チャネル番号を付加したＩＰパケットをＩＰ網に送信するので、ＩＰアドレスの指定および呼制御情報用チャネル番号によりＩＰ網を介してＩＰトランク間を接続して通話を成立することができ、システムの構築ならびに拡張を容易に実現することができる。
【００２５】
この発明に係る構内交換機は、共通線信号方式（ＳＳ７）の呼制御情報を入出力する制御手段を備えたので、ＩＰトランクを介して呼制御情報の受渡しをすることによりキャンプオン等の高度なサービスが提供でき、利便性の向上を図ることができる。
【００２６】
また、この発明に係る通話確立方法は、呼制御情報チャネルと音声通話用チャネルとを有する一つのＩＰトランクと、音声通話用チャネルのみを有する複数のＩＰトランクとを有し、ＩＰトランクを介して、ＩＰ網経由で構内交換機相互間がＩＰパケットの通信を行なう通話確立方法であって、前記ＩＰ網への発信を受け付けるステップと、前記ステップにおいて、当該発信を受け付けた場合に、前記ＩＰトランクのうちより空いている音声通話用チャネルを検索するステップと、空いている音声通話用チャネルが検索された場合に、当該音声通話用チャネルを有するＩＰトランクを予約し、他の発信により使用できないようにするステップと、前記発信に伴う番号に対応したＩＰアドレス宛に、呼制御用チャネルを有するＩＰトランクのＩＰアドレスと、前記空きチャネル捕捉手段が捕捉した音声通話用チャネルを有するＩＰトランクのＩＰアドレスとを含む情報を共通線信号方式（ＳＳ７）の呼制御情報として、前記呼制御情報チャネルを有するＩＰトランクより前記ＩＰ網に送出させるステップと、相手交換機よりの応答により前記捕捉したチャネルを有するＩＰトランクを確定し、通話のネゴシエーションを確立させ音声パケットで相互通信するステップとを備えたことを特徴とする。
【００２７】
この発明に係る通話確立方法は、呼制御情報チャネルと音声通話用チャネルとを有する一つのＩＰトランクと、音声通話用チャネルのみを有する複数のＩＰトランクとを有し、ＩＰトランクを介して、ＩＰ網経由で構内交換機相互間がＩＰパケットの通信を行なう通話確立方法であって、前記ＩＰ網への発信を受け付けるステップと、前記ステップにおいて、当該発信を受け付けた場合に、前記ＩＰトランクのうちより空いている音声通話用チャネルを検索するステップと、空いている音声通話用チャネルが検索された場合に、当該音声通話用チャネルを有するＩＰトランクを予約し、他の発信により使用できないようにするステップと、前記発信に伴う番号に対応したＩＰアドレス宛に、呼制御用チャネルを有するＩＰトランクのＩＰアドレスと、前記空きチャネル捕捉手段が捕捉した音声通話用チャネルを有するＩＰトランクのＩＰアドレスとを含む情報を共通線信号方式（ＳＳ７）の呼制御情報として、前記呼制御情報チャネルを有するＩＰトランクより前記ＩＰ網に送出させるステップと、相手交換機よりの応答により前記捕捉したチャネルを有するＩＰトランクを確定し、通話のネゴシエーションを確立させ音声パケットで相互通信するステップとを備えたので、構内交換機をＩＰ網に接続して通話が可能で、キャンプオン等の高度なサービスが提供でき、利便性の向上を図ることができる。
【００２８】
【発明の実施の形態】
以下、この発明の実施の形態を添付図面に基づいて説明する。図１はこの発明に係る構内交換システムの実施の形態基本ブロック構成図である。図１において、構内交換システム１は、構内交換機２と、構内交換機２が接続されるイサーネット等の構内ＬＡＮ３と、構内ＬＡＮ３とＩＰ網５とを接続するＬＡＮ機器であるルータ４とを１グループとし、構内交換機２ａ，構内ＬＡＮ３ａ，ルータ４ａのグループ、…、構内交換機２ｎ，構内ＬＡＮ３ｎ，ルータ４ｎのグループをそれぞれＩＰ網５に接続して構内交換システムを構成する。
【００２９】
構内交換機２は、通話路スイッチ６、制御装置７、記憶装置８、ＩＰトランク９ａ〜９ｎを備える。通話路スイッチ６、制御装置７および記憶装置８は、内部バスを介して接続する。また、通話路スイッチ６は、ＩＰトランク９ａ〜９ｎに接続する。なお、構内交換機２ａ〜構内交換機２ｎも同様に構成する。
【００３０】
通話路スイッチ６は、制御装置７から供給される制御情報により、電話機等の内線端末を通話路を介してＩＰトランク９ａ〜９ｎに接続する。
【００３１】
制御装置７は、マイクロプロセッサを基本に構成し、各種演算機能、処理機能、ＳＳ７制御部等を備え、通話路スイッチ６、記憶装置８、ＩＰトランク９ａ〜９ｎの構内交換機２全体の動作を制御する。
【００３２】
制御装置７は、記憶装置８に記憶されている呼制御情報をＩＰトランク９ａ〜９ｎに供給するとともに、ＩＰトランク９ａ〜９ｎから供給される呼制御情報を記憶装置８に記憶させる。
【００３３】
また、制御装置７は、通話路スイッチ６のオン／オフ動作を制御し、内線端末からの音声情報を通話路を介してＩＰトランク９ａ〜９ｎに供給するとともに、ＩＰトランク９ａ〜９ｎから供給される音声情報を通話路を介して内線端末に供給する。
【００３４】
さらに、制御装置７は、構内交換機２から他の構内交換機（例えば、構内交換機２ａ）に呼制御情報を送信する場合、相手局側の呼制御用ＩＰトランク（例えば、ＩＰトランク２ａ1）のＩＰアドレスおよび呼制御用ポート番号を指定した呼制御情報を自局側の呼制御用ＩＰトランク（例えば、ＩＰトランク９ａ）に提供する。
【００３５】
一方、制御装置７は、他の構内交換機（例えば、構内交換機２ａ）の呼制御用ＩＰトランク（例えば、ＩＰトランク２ａ1）から呼制御情報を受信した場合、自局の呼制御用ＩＰトランク（例えば、ＩＰトランク９ａ）から呼制御情報受信の通知を受け、受信した呼制御情報に基づき呼制御を行なう。
【００３６】
さらに、制御装置７は、共通線制御方式ＳＳ７（Signaling System No.7）の呼制御情報を扱うＳＳ７制御部を備える。なお、ＳＳ７制御部については、図６で後述する。
【００３７】
記憶装置８は、ＲＯＭ（Read Only Memory）等の固定メモリやＲＡＭ（Random Access Memory）、ＥＥＰＲＯＭ（Electrically Erasable Programmable Read Only Memory）等の書換え可能なメモリで構成し、交換動作制御プログラムなどの各種プログラム、局データおよび各種テーブルを記憶する。なお、記憶するデータには、各構内交換機の各ＩＰトランクのアドレス、起動信号、起動完了信号、起動不完了信号等の呼制御情報を含む。
【００３８】
ＩＰトランク９ａ〜９ｎは、電話機等の内線端末から通話路スイッチ６の通話路を介して供給される音声情報を音声パケットに変換するとともに、制御装置７から提供される呼制御情報を呼制御パケットに変換し、音声パケットおよび呼制御パケットをＩＰパケットに編集して構内ＬＡＮ３、ルータ４を経由してＩＰ網５に出力する。
【００３９】
また、ＩＰトランク９ａ〜９ｎは、ＩＰ網５からルータ４、構内ＬＡＮ３を経由して供給されるＩＰパケットを分析し、音声パケットを音声情報に変換して通話路スイッチ６の通話路を介して電話機等の内線端末に供給するとともに、呼制御パケットを呼制御情報に変換して制御装置７に提供する。
【００４０】
さらに、ＩＰトランク９ａ〜９ｎは、制御装置７から通知される呼制御情報および音声制御情報に基づき送信先ＩＰトランク（例えば、ＩＰトランク２ａ1，２ａK）のＩＰアドレスと呼制御ポート番号または音声ポート番号から指定したＩＰパケットを生成し、構内ＬＡＮ３、ルータ４を経由してＩＰ網５に出力する。
【００４１】
図２はこの発明に係るＩＰトランクの一実施の形態要部ブロック構成図である。図２において、ＩＰトランク９ａは、ＩＰパケット解析手段１０、音声制御手段１１、呼制御手段１２を備える。なお、ＩＰトランク９ａは、音声通話用チャネルおよび呼制御情報用チャネルを有し、ＩＰトランク９ｂ〜９ｎは、音声通話用チャネルのみを有するものとする。
【００４２】
ＩＰパケット解析手段１０は、ＩＰ網５からルータ４、構内ＬＡＮ３を経由して供給されるＩＰパケットを解析し、ＩＰパケットを音声パケットおよび呼制御パケットに分離し、音声パケットを音声制御手段１１に提供するとともに、呼制御パケットを呼制御手段１２に提供する。
【００４３】
また、ＩＰパケット解析手段１０は、音声制御手段１１から供給される音声パケットと呼制御手段１２から供給される呼制御パケットをＩＰパケットに編集し、ＩＰパケットを構内ＬＡＮ３、ルータ４を経由してＩＰ網５に出力する。
【００４４】
音声制御手段１１は、パケット解析手段１０から提供される音声パケットを音声情報に変換し、音声情報を通話路スイッチ６の通話路を介して電話機等の内線端末に供給する。
【００４５】
また、音声制御手段１１は、電話機等の内線端末から通話路スイッチ６の通話路を介して供給される音声情報を音声パケットに変換し、音声パケットをＩＰパケット解析手段１０に供給する。
【００４６】
呼制御手段１２は、ＩＰパケット解析手段１０から提供される呼制御パケットを呼制御情報に変換し、呼制御情報を制御装置７に提供する。
【００４７】
また、呼制御手段１２は、制御装置７から提供される呼制御情報を呼制御パケットに変換し、呼制御パケットをＩＰパケット解析手段１０に供給する。
【００４８】
なお、ＩＰトランク９ａについて説明したが、構内交換機２ａの音声通話用チャネルおよび呼制御情報用チャネルを有するＩＰトランク（例えばＩＰトランク２ａ1，…，構内交換機２ｎの音声通話用チャネルおよび呼制御情報用チャネルを有するのＩＰトランク（例えばＩＰトランク２ｎ1）についても同様な構成である。
【００４９】
構内ＬＡＮ３は、イサーネット等のＬＡＮ設備であり、ＩＰトランク９ａ〜９ｎやＬＡＮ機器であるルータ４を同一ＬＡＮ上に接続する。なお、構内ＬＡＮ３ａ〜構内ＬＡＮ３ｎについてもそれぞれ同様である。
【００５０】
ルータ４は、ＩＰ網５とのインタフェースを備え、構内交換機２のＩＰトランク９ａ〜９ｎから出力されるＩＰパケットをＩＰ網５に供給するとともに、ＩＰ網５から供給されるＩＰパケットをＩＰトランク９ａ〜９ｎに提供する。
【００５１】
ＩＰ網５は、高速ディジタル回線網等で構成し、構内交換機２，構内交換機２ａ〜構内交換機２ｎをそれぞれ構内ＬＡＮ３，構内ＬＡＮ３ａ〜３ｎ、ルータ４，ルータ４ａ〜４ｎを介して接続し、ＩＰパケットを伝送させて構内交換機２，構内交換機２ａ〜２ｎ相互間の通話を成立させる。
【００５２】
なお、ＩＰ網５上を伝送するＩＰパケットには、構内ＬＡＮ３ａ〜３ｎ、ルータ４，ルータ４ａ〜４ｎのＩＰトランク９ａ〜９ｎ，ＩＰトランク２ａ1〜２ａK，…，ＩＰトランク２ｎ1〜２ｎKの発信側と着信側のＩＰアドレスが含まれ、ＩＰアドレスで全てのＩＰトランクを認識することができ、ＩＰアドレス指定により、ＩＰ網５上の任意のＩＰトランク間を論理回線５Ｌで接続して通話することができる。したがって、図８に示すような１対１の物理的な専用回線でＩＰトランク間を結ぶ必要がないため、構内交換システム１の構築が容易となり、構内交換機の増設などの自由度があり、拡張性を向上することができる。
【００５３】
また、ＩＰトランク相互間を接続（通話）するための呼制御情報は、各構内交換機の全てのＩＰトランクで共用して使用できるので、呼制御情報に割り当てるチャネルは１チャネルでよく、図８に示すように、構内交換機毎に共通線信号トランク（ＣＳＵ）および専用線を設ける必要がないため、設備の簡素化を図り、回線の分割損（回線数の増加）をなくすることができる。
【００５４】
図３はこの発明に係る構内交換システムの一実施の形態構内交換機のＩＰトランク収容図である。図３において、構内交換機２は、複数のＩＰトランク９ａ〜９ｎを収容し、ＩＰトランク９ａ〜９ｎの全てに音声通話用チャネルＬAを設定することができ、ＩＰトランク９ａには音声通話用チャネルＬAと呼制御情報用チャネルＬCを設定することができる。このように、ＩＰトランク９ａ〜９ｎの全てに対して呼制御情報用チャネルＬCを１チャネルで賄うことができる。
【００５５】
図４はこの発明に係る構内交換システムの構内交換機相互間の呼制御シーケンス図である。なお、発信ＰＢＸを構内交換機２、着信ＰＢＸを構内交換機２ａとして説明する。
【００５６】
発信ＰＢＸが構内交換機２に収容される内線端末（例えば、電話機）からＩＰ網に発信操作を行なうと、発信（処理）がスタートする（ステップＳ１）。
【００５７】
ステップＳ２で、ＩＰ網に発信するため、ＩＰトランク９ａ〜９ｎの空きチャネルを検索し、ステップＳ３では、ＩＰトランク９ａ〜９ｎに空きチャネルが有るか否かをチェックする。空きチャネルが有る場合にはステップＳ４に移行し、空きチャネルがない場合にはステップＳ２０に移行する。
【００５８】
空きチャネルがある場合、ステップＳ４で、空きチャネル（例えば、ＩＰトランク９ｎ）を音声通話用に予約し、他からの要求で、ＩＰトランク９ｎが捕捉できない状態にする。
【００５９】
ステップＳ５では、発信する番号に対応した呼制御情報（起動信号）を送信する構内交換機２ａ（着信ＰＢＸ）のＩＰトランク（例えば、ＩＰトランク２ａ1）のＩＰアドレスを決定（ＩＰアドレスに変換）する。
【００６０】
ステップＳ６では、構内交換機２（発信ＰＢＸ）の呼制御情報用チャネルを収容するＩＰトランク（例えば、ＩＰトランク９ａ）に、ステップＳ５で決定した相手呼制御用ＩＰトランクのＩＰアドレスおよび呼制御ポート番号を含む呼制御情報（起動信号）を通知し、ＩＰトランク９ａは、呼制御情報（起動信号）を呼制御パケット（起動信号）に変換して、相手先ＩＰトランク（例えば、ＩＰトランク２ａ1）のＩＰアドレスを設定して呼制御パケット（起動信号）をＩＰパケットとしてＩＰ網に送出する。
【００６１】
ステップＳ７で、ＩＰ網は、ＩＰパケットの呼制御パケット（起動信号）をＩＰアドレスに対応した構内交換機２ａ（着信ＰＢＸ）のＩＰトランク２ａ1に通知する。
【００６２】
これにより、構内交換機２（発信ＰＢＸ）からＩＰアドレスを指定することにより、構内交換機２ａ（着信ＰＢＸ）に起動信号（呼制御パケット）が通知されることになる。なお、通知される呼制御パケット（起動信号）には、ステップＳ４で予約した音声通話用のＩＰトランク（例えば、ＩＰトランク９ｎ）のＩＰアドレスおよび呼制御情報用チャネルを収容するＩＰトランク（例えば、ＩＰトランク９ａ）のＩＰアドレスおよび音声ポート番号が設定されている。
【００６３】
なお、ポート番号は、同一のＩＰトランクに複数の音声通話用チャネルを有しているため、どの音声チャネルを使用するかを決定するためのものである。
【００６４】
続いて、構内交換機２ａ（着信ＰＢＸ）のＩＰトランク（ＩＰトランク２ａ1）が呼制御パケット（起動信号）を受信し、呼制御情報に変換して着信（処理）がスタートする（ステップＳ８）。
【００６５】
ステップＳ９で、ＩＰ網から着信があると、ＩＰトランク２ａ1〜２ａKの空きチャネルを検索し、ステップＳ１０では、ＩＰトランク２ａ1〜２ａKに空きチャネルが有るか否かをチェックする。空きチャネルが有る場合にはステップＳ１１に移行し、空きチャネルがない場合にはステップＳ１７に移行する。
【００６６】
空きチャネルがある場合、ステップＳ１１で、空きチャネル（例えば、ＩＰトランク２ａK）を音声通話用に捕捉し、発信側と同一手順により呼制御パケット（起動完了信号）をＩＰ網に送出する。この時点で、着信ＰＢＸは、起動完了信号受信により取得した発信ＰＢＸの音声チャネルを合わせて発着両ＰＢＸの音声チャネルが確定し、着信ＰＢＸから発信ＰＢＸへの音声パケットの送信が可能になる。
【００６７】
なお、呼制御パケット（起動完了信号）には、ステップＳ１１で捕捉した音声通話用のＩＰトランク（例えば、ＩＰトランク２ａK）のＩＰアドレスおよび音声ポート番号が設定されている。
【００６８】
ステップＳ１３で、ＩＰ網は、ＩＰパケットの呼制御パケット（起動完了信号）をＩＰアドレスに対応した構内交換機２（発信ＰＢＸ）のＩＰトランク９ａに通知する。
【００６９】
ステップＳ１４では、構内交換機２（発信ＰＢＸ）のＩＰトランク９ａがＩＰ網から供給される呼制御パケット（起動完了信号）を受信することにより、着信ＰＢＸの音声チャネルを取得し、発着両ＰＢＸの音声チャネルが確定することにより、発信ＰＢＸから着信ＰＢＸへの音声パケットの送信が可能となる。
ステップＳ４で音声通話用に予約したチャネル（例えば、ＩＰトランク９ｎ）を用チャネルに確定する。
【００７０】
以上のシーケンスにより、音声通話用のチャネルは、それぞれ発信ＰＢＸ（構内交換機２）がＩＰトランク９ｎ、着信ＰＢＸ（構内交換機２ａ）がＩＰトランク２ａKに確定し、ステップＳ１６で、音声パケットの送受信が可能となって通話が成立する。
【００７１】
また、ステップＳ３で空きチャネルがない場合には、ステップＳ２０で、発信者に発信不可であることを話中音等で通致し、話中返し処理を実行する。
【００７２】
さらに、ステップＳ１０で着信側に空きチャネルがない場合には、ステップＳ１７で、接続不可能であることを意味する起動不完了信号の呼制御パケットをＩＰ網に送出する。
【００７３】
ステップＳ１８では、ＩＰ網は、ＩＰパケットの呼制御パケット（起動不完了信号）をＩＰアドレスに対応した構内交換機２（発信ＰＢＸ）のＩＰトランク９ａに通知する。
【００７４】
ステップＳ１９で、呼制御パケット（起動不完了信号）を受信することにより、ステップＳ４で音声通話用に予約したチャネル（例えば、ＩＰトランク９ｎ）を解放し、ステップＳ２０では、発信者に対して話中返し処理を実行する。
【００７５】
図５はこの発明に係る呼制御パケットの一実施の形態フレーム構成図である。図５において、呼制御パケットＰJCは、ＬＡＮ上の一般的なプロトコルであるＴＣＰ／ＩＰで情報伝送を行ない、ＩＰヘッダＪIP、ＴＣＰヘッダＪTCおよびユーザ定義エリアである呼制御情報ＪCで構成する。
【００７６】
呼制御情報ＪCは、ＳＳ７（Signaling System No.7）の信号方式を採用し、図８に示す従来の構内交換機で既に装備しているＳＳ７信号方式の呼制御情報をＩＰパケット化することにより、呼制御が可能となる。
【００７７】
呼制御情報ＪCの構成は、ＳＳ７信号方式呼制御パケットであることを表わすＳＳ７ヘッダＪSS、通信相手の音声チャネルおよび制御チャネルのＩＰアドレス、自分の音声チャネルおよび制御チャネルのＩＰアドレス、音声チャネルの多重数等の運用条件を伝達するためのチャネル／制御情報ＪCH、情報のバイト長を表わす情報内容長ＪL、および付加情報付きアドレス信号（ＩＡＩ）等のＳＳ７信号方式で使用している呼制御情報であるＳＳ７呼情報（ＭＳＵ）ＪS7がある。
【００７８】
なお、ＳＳ７呼情報（ＭＳＵ）ＪS7は、従来の構内交換機がサポートしているＳＳ７信号方式の呼制御情報を採用するので、ＳＳ７信号方式の有する豊富な局間アプリケーション（例えば、局間キャンプオン等）をＩＰ網上でも利用可能となる。
【００７９】
図６はこの発明に係るＳＳ７制御部の実施の形態要部ブロック構成図である。図６において、ＳＳ７制御部１３は、ＳＳ７呼制御部１４、ＳＳ７メッセージ受信部１５、ＳＳ７メッセージ送信部１６を備える。なお、ＩＰ網の呼制御情報に図５で説明したＳＳ７信号方式の呼制御情報を採用する。
【００８０】
ＳＳ７呼制御部１４は、ＳＳ７信号方式の呼制御情報によって実現するキャンプオン等の局間アプリケーションを制御する。ＳＳ７メッセージ受信部１５は、ＩＰトランク（ＩＰＴＲＫ）が受信するＳＳ７信号方式の呼制御情報を統一して呼制御情報のみを取り出し、ＳＳ７呼制御部１４に呼制御情報を通知する。なお、ＳＳ７メッセージ受信部１５は、従来の構内交換機において、共通線信号トランク（ＣＳＵ：破線表示）が受信するＳＳ７信号方式の呼制御情報も通知することができる。
【００８１】
ＳＳ７メッセージ送信部１６は、ＳＳ７呼制御部１４から通知されるＳＳ７信号方式の呼制御情報をＩＰトランク（ＩＰＴＲＫ）のフォーマットに変換してＩＰトランク（ＩＰＴＲＫ）に通知する。なお、ＳＳ７メッセージ送信部１６は、従来の構内交換機において、ＳＳ７信号方式の呼制御情報もフォーマット変換して共通線信号トランク（ＣＳＵ：破線表示）に通知することができる。
【００８２】
このように、この発明に係る構内交換システム１は、ＩＰトランク９ａ〜９ｎを有する構内交換機２と、構内交換機２が接続される構内ＬＡＮ３と、構内ＬＡＮ３とＩＰ網５に接続されるルータ装置４とを備え、構内交換機相互間の音声通信は、音声情報を変換した音声パケットと、呼制御情報を変換した呼制御パケットとから形成されるＩＰパケットをＩＰ網５を介して伝送するとともに、呼制御情報に共通線信号（ＳＳ７）方式の呼制御情報を用いて１チャネルで伝送するので、構内交換機相互間の通話をＩＰ網上で容易に実現でき、キャンプオン等の高度なサービスを提供することによって利便性の向上を図ることができる。
【００８３】
また、この発明に係る構内交換機２は、音声情報と音声パケットを相互変換する音声制御手段１１と、呼制御情報と呼制御パケットを相互変化する呼制御手段１２とを備えたので、音声パケットと呼制御パケットをＩＰパケットとしてＩＰ網上に載せることができ、容易に情報とパケットの変換が実現できる。
【００８４】
さらに、この発明に係るＩＰトランク９ａは、呼制御パケットに音声通話用のＩＰアドレスおよび呼制御情報用チャネル番号を付加したＩＰパケットをＩＰ網５に送信するので、ＩＰアドレスの指定および呼制御情報用チャネル番号によりＩＰ網５を介してＩＰトランク間を接続して通話を成立することができ、システムの構築ならびに拡張を容易に実現することができる。
【００８５】
また、この発明に係る構内交換機２は、共通線信号（ＳＳ７）方式の呼制御情報を入出力する制御手段７を備えたので、ＩＰトランク９ａを介して呼制御情報の受渡しをすることによりキャンプオン等の高度なサービスが提供でき、利便性の向上を図ることができる。
【００８６】
次に、この発明に係る構内交換システムの通話確立方法について説明する。図７はこの発明に係る構内交換システムの通話確立方法の一実施の形態要部動作フロー図である。
【００８７】
ステップＰ１では、発信時に空き通話チャネルを予約する。なお、ステップＰ１の動作は、発信ＰＢＸ（例えば、構内交換機２）の制御装置７が実行する。また、予約した空き通話チャネルとは、例えばＩＰトランク９ｎを示す。
【００８８】
ステップＰ２では、発信ＰＢＸで予約した通話チャネル情報を付加した起動信号の呼制御パケットをＩＰ網に送出する。なお、ステップＰ２の動作は、発信ＰＢＸ（例えば、構内交換機２）の制御装置７およびＩＰトランク９ａが実行する。また、予約した通話チャンネル情報とは、発信ＰＢＸ（構内交換機２）の通話用ＩＰトランク（例えば、ＩＰトランク９ｎ）のＩＰアドレスとポート番号を示す。
【００８９】
ステップＰ３では、着信時に空き通話チャネルを捕捉する。なお、ステップＰ３の動作は、着信ＰＢＸ（例えば、構内交換機２ａ）の制御手段７が実行する。
【００９０】
ステップＰ４では、着信ＰＢＸで捕捉した通話チャネル情報を付加した起動完了信号の呼制御パケットをＩＰ網に送出する。なお、ステップＰ４の動作は、着信ＰＢＸ（構内交換機２ａ）の制御手段７およびＩＰトランク（例えば、ＩＰトランク２ａ1）が実行する。また、捕捉した通話チャネル情報とは、着信ＰＢＸ（構内交換機２ａ）の通話用トランク（例えば、ＩＰトランク２ａK）のＩＰアドレスとポート番号を示す。この時点で、着信ＰＢＸでは、発着両ＰＢＸの通話チャネルが確定し、着信ＰＢＸから発信ＰＢＸへの音声パケットの送信を開始する。
【００９１】
ステップＰ５では、起動完了信号の呼制御パケットの受信により、発信ＰＢＸ側において、発着両ＰＢＸの通話チャネルが確定し、通話のネゴシエーションを確立する。この時点から、発信ＰＢＸから着信ＰＢＸへの音声パケットの送信を開始する。なお、ステップＰ５の動作は、発信ＰＢＸ（構内交換機２）の制御装置７が実行する。
【００９２】
ステップＰ６では、音声パケットで相互通信を行なう。なお、ステップＰ６の動作は、構内交換機相互間（例えば、構内交換機２と構内交換機２ａとの間）で、ＩＰ網を介して実行する。
【００９３】
このように、この発明に係る構内交換システムの通話確立方法は、ＩＰ網に接続され、構内交換機相互間がＩＰパケットの通信を行なう方法であって、発信時に空き通話チャネルを予約するステップＰ１と、予約した通話チャネル情報を付加した起動信号の呼制御パケットをＩＰ網に送出するステップＰ２と、着信時に空き通話チャネルを捕捉するステップＰ３と、捕捉した通話チャネル情報を付加した起動完了信号の呼制御パケットをＩＰ網に送信するステップＰ４と、起動完了信号の呼制御パケットを受信して予約したチャネルを確定し、通話のネゴシエーションを確立するステップＰ５と、音声パケットで相互通信するステップＰ６とを備えたので、構内交換機２をＩＰ網に接続して通話が可能で、キャンプオン等の高度なサービスが提供でき、利便性の向上を図ることができる。
【００９４】
【発明の効果】
以上説明したように、この発明に係る構内交換機は、ＩＰトランクを有する構内交換機と、構内交換機が接続される構内ＬＡＮと、構内ＬＡＮとＩＰ網に接続されるルータ装置とを備え、構内交換機相互間の音声通信は、音声情報を変換した音声パケットと、呼制御情報を変換した呼制御パケットとから形成されるＩＰパケットをＩＰ網を介して伝送するとともに、呼制御情報に共通線信号（ＳＳ７）方式の呼制御情報を用いて１チャネルで伝送するので、構内交換機相互間の通話をＩＰ網上で容易に実現でき、キャンプオン等の高度なサービスを提供することによって利便性の向上を図ることができる。
【００９５】
また、この発明に係る構内交換機は、音声情報と音声パケットを相互変換する音声制御手段と、呼制御情報と呼制御パケットを相互変化する呼制御手段とを備えたので、音声パケットと呼制御パケットをＩＰパケットとしてＩＰ網上に載せることができ、容易に情報とパケットの変換が実現できる。
【００９６】
さらに、この発明に係るＩＰトランクは、呼制御パケットに音声通話用のＩＰアドレスおよび呼制御情報用チャネル番号を付加したＩＰパケットをＩＰ網に送信するので、ＩＰアドレスの指定および呼制御情報用チャネル番号によりＩＰ網を介してＩＰトランク間を接続して通話を成立することができ、システムの構築ならびに拡張を容易に実現することができる。
【００９７】
また、この発明に係る構内交換機は、共通線信号（ＳＳ７）方式の呼制御情報を入出力する制御手段を備えたので、ＩＰトランクを介して呼制御情報の受渡しをすることによりキャンプオン等の高度なサービスが提供でき、利便性の向上を図ることができる。
【００９８】
さらに、この発明に係る通話確立方法は、呼制御情報チャネルと音声通話用チャネルとを有する一つのＩＰトランクと、音声通話用チャネルのみを有する複数のＩＰトランクとを有し、前記ＩＰトランクを介して、ＩＰ網経由で構内交換機相互間がＩＰパケットの通信を行なう通話確立方法であって、前記ＩＰ網への発信を受け付けるステップと、前記ステップにおいて、当該発信を受け付けた場合に、前記ＩＰトランクのうちより空いている音声通話用チャネルを検索するステップと、空いている音声通話用チャネルが検索された場合に、当該音声通話用チャネルを有するＩＰトランクを予約し、他の発信により使用できないようにするステップと、前記発信に伴う番号に対応したＩＰアドレス宛に、呼制御用チャネルを有するＩＰトランクのＩＰアドレスと、前記空きチャネル捕捉手段が捕捉した音声通話用チャネルを有するＩＰトランクのＩＰアドレスとを含む情報を共通線信号方式（ＳＳ７）の呼制御情報として、前記呼制御情報チャネルを有するＩＰトランクより前記ＩＰ網に送出させるステップと、相手交換機よりの応答により前記捕捉したチャネルを有するＩＰトランクを確定し、通話のネゴシエーションを確立させ音声パケットで相互通信するステップとを備えたので、構内交換機をＩＰ網に接続して通話が可能で、キャンプオン等の高度なサービスが提供でき、利便性の向上を図ることができる。
【図面の簡単な説明】
【図１】この発明に係る構内交換システムの実施の形態基本ブロック構成図
【図２】この発明に係るＩＰトランクの一実施の形態要部ブロック構成図
【図３】この発明に係る構内交換システムの一実施の形態構内交換機のＩＰトランク収容図
【図４】この発明に係る構内交換システムの構内交換機相互間の呼制御シーケンス図
【図５】この発明に係る呼制御パケットの一実施の形態フレーム構成図
【図６】この発明に係るＳＳ７制御部の実施の形態要部ブロック構成図
【図７】この発明に係る構内交換システムの通話確立方法の一実施の形態要部動作フロー図
【図８】従来の専用線で接続された構内交換システムの一ブロック構成図
【符号の説明】
１  構内交換システム
２，２ａ〜２ｎ  構内交換機
３，３ａ〜３ｎ  ＬＡＮ
４，４ａ〜４ｎ  ルータ
５  ＩＰ網
５Ｌ  論理回線
６  通話路スイッチ
７  制御装置
８  記憶装置
９ａ〜９ｎ，２ａ1〜２ａK，２ｎ1〜２ｎK  ＩＰトランク
１０  ＩＰパケット解析手段
１１  音声制御手段
１２  呼制御手段
１３  ＳＳ７制御部
１４  ＳＳ７呼制御部
１５  ＳＳ７メッセージ受信部
１６  ＳＳ７メッセージ送信部
【図１】
0003875132.tif 000002
【図２】
0003875132.tif 000003
【図３】
0003875132.tif 000004
【図４】
0003875132.tif 000005
【図５】
0003875132.tif 000006
【図６】
0003875132.tif 000007
【図７】
0003875132.tif 000008
【図８】
0003875132.tif 000009